(57)【特許請求の範囲】
【請求項１】
ケーシング(10)内に、
第１空気を室内へ供給する第１送風手段(95)が配置された第１空気通路と、
第２空気を室外へ排出する第２送風手段(96)が配置された第２空気通路と、
上記第１空気及び第２空気の一方、または両方の加湿または減湿を行う吸着素子(81)と、
上記第１空気及び第２空気の一方、または両方の加温または冷却を行う冷媒回路と、
上記送風手段(95,96)及び冷媒回路の一方、または両方の機械部品を制御する駆動回路(130)とを備えた調湿装置であって、
上記駆動回路(130)の放熱部(171)は、上記吸着素子(81)により調湿された後の第２空気が流通する第２空気通路に配置されていることを特徴とする調湿装置。
【請求項２】
ケーシング(10)内に、
第１空気を室内へ供給する第１送風手段(95)が配置された第１空気通路と、
第２空気を室外へ排出する第２送風手段(96)が配置された第２空気通路と、
上記第１空気及び第２空気の一方、または両方の加湿または減湿を行う吸着素子(81)と、
上記第１空気及び第２空気の一方、または両方の加温または冷却を行う冷媒回路と、
上記送風手段(95,96)及び冷媒回路の一方、または両方の機械部品を制御する駆動回路(130)とを備えた調湿装置であって、
上記冷媒回路は、吸着素子(81)で減湿後の第１空気を冷却するための熱交換器(103)を備え、
上記駆動回路(130)の放熱部(171)は、上記熱交換器(103)を通過した後の第１空気が流通する第１空気通路に配置されたことを特徴とする調湿装置。
【請求項３】
ケーシング(10)内に、
第１空気を室内へ供給する第１送風手段(95)が配置された第１空気通路と、
第２空気を室外へ排出する第２送風手段(96)が配置された第２空気通路と、
上記第１空気及び第２空気の一方、または両方の加湿または減湿を行う吸着素子(81)と、
上記第１空気及び第２空気の一方、または両方の加温または冷却を行う冷媒回路と、
上記送風手段(95,96)及び冷媒回路の一方、または両方の機械部品を制御する駆動回路(130)とを備えた調湿装置であって、
上記冷媒回路は、吸着素子(81)で減湿後の第２空気を冷却するための熱交換器(103)を備え、
上記駆動回路(130)の放熱部(171)は、上記熱交換器(103)を通過した後の第２空気が流通する第２空気通路に配置されたことを特徴とする調湿装置。
【請求項４】
ケーシング(10)内に、
第１空気を室内へ供給する第１送風手段(95)が配置された第１空気通路と、
第２空気を室外へ排出する第２送風手段(96)が配置された第２空気通路と、
上記第１空気及び第２空気の一方、または両方の加湿または減湿を行う吸着素子(81)と、
上記第１空気及び第２空気の一方、または両方の加温または冷却を行う冷媒回路と、
上記送風手段(95,96)及び冷媒回路の一方、または両方の機械部品を制御する駆動回路(130)とを備えた調湿装置であって、
上記駆動回路(130)の放熱部(171)は、上記吸着素子(81)により調湿される前の第１空気が流通する第１空気通路に配置されていることを特徴とする調湿装置。
【請求項５】
ケーシング(10)内に、
第１空気を室内へ供給する第１送風手段(95)が配置された第１空気通路と、
第２空気を室外へ排出する第２送風手段(96)が配置された第２空気通路と、
上記第１空気及び第２空気の一方、または両方の加湿または減湿を行う吸着素子(81)と、
上記第１空気及び第２空気の一方、または両方の加温または冷却を行う冷媒回路と、
上記送風手段(95,96)及び冷媒回路の一方、または両方の機械部品を制御する駆動回路(130)とを備えた調湿装置であって、
上記駆動回路(130)の放熱部(171)は、上記吸着素子(81)により調湿される前の第２空気が流通する第２空気通路に配置されていることを特徴とする調湿装置。
【発明の詳細な説明】
【０００１】
【発明の属する技術分野】
本発明は、吸着素子と冷媒回路とを備えた調湿装置に係るものであり、より具体的には、送風手段や圧縮機構の駆動回路を冷却する構造に関するものである。
【０００２】
【従来の技術】
従来より、調湿装置として、除湿剤（デシカント）の水分吸着作用を利用して、空調を行うデシカント調湿装置がある。
【０００３】
例えば、デシカント調湿装置は、空気中の水分を吸脱着可能な吸着素子と、空気を冷却/加熱するための冷媒回路と、外気を吸引して室内へ供給するための給気ファンと、室内空気を吸引して室外へ排出するための排気ファンとを備えている。また、上記冷媒回路には、冷媒を圧縮するための圧縮機が設けられている。
【０００４】
この構成において、例えば夏期に室内の空調を行う場合には、室外より給気ファンで吸引された室外空気は、吸着素子、冷却回路を経て、減湿及び冷却された後に、室内へ供給される（特許文献１参照）。
【０００５】
【特許文献１】
特開２００３−２８４５８号公報
【０００６】
【発明が解決しようとする課題】
このような調湿装置において、室内へ給気する空気の温度や送風量などを、より厳密に制御する場合には、冷媒回路の圧縮機や給気／排気ファンなどの電動機にインバータなどの電子回路を設け、これらの電動機を可変速にすることが考えられる。この場合、インバータは発熱するため、このインバータの発熱を防ぐための冷却手段が必要となる。また、電動機や電気計装品の変圧を行う必要がある場合には、例えばリアクタやトランスなどの電子回路部品を設ける必要がある。この場合にも、これらの電子回路部品が発熱する可能性があるため、この発熱を防ぐための冷却手段が必要となる。
【０００７】
本発明は、かかる点に鑑みてなされたものであり、その目的とするところは、吸着素子と冷媒回路とを備えた調湿装置において、送風手段や圧縮機構などの機械部品を制御する駆動回路の放熱部を冷却するための冷却構造を提供し、調湿装置の信頼性の向上を図ることである。
【０００８】
【課題を解決するための手段】
本発明は、調湿装置において、送風手段や冷媒回路の圧縮機構の機械部品を制御する駆動回路(130)より生じる熱を冷却するための冷却構造を設けるようにしたものである。
【０００９】
具体的に、請求項１に記載の発明は、ケーシング内に、第１空気を室内へ供給する第１送風手段(95)が配置された第１空気通路と、第２空気を室外へ排出する第２送風手段(96)が配置された第２空気通路と、上記第１空気及び第２空気の一方、または両方の加湿または減湿を行う吸着素子(81)と、上記第１空気及び第２空気の一方、または両方の加温または冷却を行う冷媒回路と、上記送風手段(95,96)及び冷媒回路の一方、または両方の機械部品を制御する駆動回路(130)とを備えた調湿装置を前提としている。
【００１０】
そして、この調湿装置は、上記駆動回路(130)の放熱部(171)を、上記吸着素子(81)により調湿された後の第２空気が流通する第２空気通路に配置したことを特徴とするものである。
【００１１】
この請求項１に記載の発明では、上記駆動回路(130)の放熱部(171)を、吸着素子(81)によって調湿された後の第２空気が流通する第２空気通路に配置し、この第２空気により冷却するように構成している。
【００１２】
この構成において、吸着素子(81)を第２空気の減湿に利用する場合、第２空気は湿度が低い状態となる。したがって、上記駆動回路(130)の放熱部(171)を第２空気で冷却する際に、水分の結露を防ぎ、上記駆動回路(130)近傍が湿潤状態になることを防ぐことができる。
【００１３】
また、吸着素子(81)を第２空気の加湿に利用する場合、吸着素子(81)から第２空気への水分の脱着により、第２空気の熱は吸熱される。したがって、第２空気は、駆動回路(130)の放熱部(171)の温度と比較して、低い温度となる。このため、上記駆動回路(130)の放熱部(171)をより効果的に冷却することができる。
【００１４】
請求項２に記載の発明は、請求項１に記載の発明と同じ前提の調湿装置において、上記冷媒回路が、吸着素子(81)で減湿後の第１空気を冷却するための熱交換器(103)を備え、上記駆動回路(130)の放熱部(171)を、上記熱交換器(103)を通過した後の第１空気が流通する第１空気通路に配置したことを特徴とするものである。
【００１５】
この請求項２に記載の発明では、上記駆動回路(130)の放熱部(171)を、熱交換器(103)により冷却された後の第１空気で冷却するように構成している。この構成において、第１空気は、駆動回路(130)の放熱部(171)と比較して、より温度が低い状態となっている。したがって、駆動回路(130)の放熱部(171)を十分に冷却することができる。
【００１６】
請求項３に記載の発明は、請求項１に記載の発明と同じ前提の調湿装置において、上記冷媒回路が、吸着素子(81)で減湿後の第２空気を冷却するための熱交換器(103)を備え、上記駆動回路(130)の放熱部(171)を、上記熱交換器(103)を通過した後の第２空気が流通する第２空気通路に配置したことを特徴とするものである。
【００１７】
この請求項３に記載の発明では、上記駆動回路(130)の放熱部(171)を、熱交換器(103)により冷却された後の第２空気で冷却するように構成している。この構成において、第２空気は、駆動回路(130)の放熱部(171)と比較して、より温度が低い状態となっている。したがって、駆動回路(130)の放熱部(171)を十分に冷却することができる。
【００１８】
請求項４に記載の発明は、請求項１に記載の発明と同じ前提の調湿装置において、上記駆動回路(130)の放熱部(171)は、上記吸着素子(81)により調湿される前の第１空気が流通する第１空気通路に配置されていることを特徴とするものである。
【００１９】
この請求項４に記載の発明では、上記駆動回路(130)の放熱部(171)を、上記吸着素子(81)により調湿される前の第１空気で冷却するように構成している。上記第１空気は、駆動回路(130)の放熱部(171)の温度と比較して、より低い温度で安定している。このため、上記駆動回路(130)の放熱部(171)を十分かつ安定して冷却することができる。
【００２０】
請求項５に記載の発明は、請求項１に記載の発明と同じ前提の調湿装置において、上記駆動回路(130)の放熱部(171)は、上記吸着素子(81)により調湿される前の第２空気が流通する第２空気通路に配置されていることを特徴とするものである。
【００２１】
この請求項５に記載の発明では、上記駆動回路(130)の放熱部(171)を、上記吸着素子(81)により調湿される前の第２空気で冷却するように構成している。上記第２空気は、駆動回路(130)の放熱部(171)の温度と比較して、より低い温度で安定している。このため、上記駆動回路(130)の放熱部(171)を十分かつ安定して冷却することができる。
【００２２】
【発明の実施の形態１】
以下、本発明の実施形態１を図面に基づいて詳細に説明する。
【００２３】
本実施形態に係る調湿装置は、減湿された空気を室内へ供給する除湿運転と、加湿された空気を室内へ供給する加湿運転とを切り換えて行うように構成されている。また、この調湿装置は、吸着素子(81)と、冷媒回路とを備え、バッチ式（回分式)の動作を行うように構成されている。ここでは、本実施形態に係る調湿装置の構成について、図１、図５、図７を参照しながら説明する。尚、本実施形態１の説明において、「上」「下」「左」「右」「前」「後」「手前」「奥」は、特にことわらない限り、図１に示す調湿装置を正面側から見た場合の方向性を意味している。
【００２４】
図１に示すように、上記調湿装置は、やや扁平な直方体状のケーシング(10)を備えている。このケーシング(10)には、２つの吸着素子(81a,81b)と冷媒回路とが収納されている。
【００２５】
冷媒回路には、凝縮器として機能する再生熱交換器(102)と、蒸発器として機能する熱交換器(103)と、圧縮機(101)及び膨張弁とが設けられている。この冷媒回路では、充填された冷媒を循環させることによって冷凍サイクルが行われる。また、熱交換器(103)は、第１熱交換器(103a)と第２熱交換器(103b)で構成され、上記冷媒回路は、第１熱交換器(103a)が蒸発器となる運転と、第２熱交換器(103b)が蒸発器となる運転とを切り換え可能に構成されている。
【００２６】
図７に示すように、上記吸着素子(81a,81b)は、平板状の平板部材(83)と波形状の波板部材(84)とが交互に積層して構成されている。波板部材(84)は、隣接する波板部材(84)の稜線方向が互いに９０°ずれる姿勢で積層されている。そして、吸着素子(81a,81b)は、全体として直方体状ないし四角柱状に形成されている。
【００２７】
上記吸着素子(81a,81b)には、平板部材(83)及び波板部材(84)の積層方向において、調湿側通路(85)と冷却側通路(86)とが平板部材(83)を挟んで交互に区画形成されている。この吸着素子(81a,81b)において、平板部材(83)の長辺側の側面に調湿側通路(85)が開口し、平板部材(83)の短辺側の側面に冷却側通路(86)が開口している。
【００２８】
上記吸着素子(81a,81b)において、調湿側通路(85)に臨む平板部材(83)の表面や、調湿側通路(85)に設けられた波板部材(84)の表面には、水蒸気を吸着するための吸着材が塗布されている。この種の吸着材としては、例えばシリカゲル、ゼオライト、イオン交換樹脂等が挙げられる。
【００２９】
図１に示すように、上記ケーシング(10)において、最も手前側には第１パネル(11)が設けられ、最も奥側には第２パネル(12)が設けられている。第１パネル(11)には、その左端寄りの下部に給気口(14)が形成され、その右端寄りの下部に排気口(16)が形成されている。一方、第２パネル(12)には、その左端寄りの下部に室内側吸引口(13)が形成され、その右端寄りの下部に室外側吸引口(15)が形成されている。
【００３０】
ケーシング(10)の内部は、手前側の第１パネル(11)から奥側の第２パネル(12)に向かう方向において、大別すると２つの空間に仕切られている。
【００３１】
ケーシング(10)の第１パネル(11)寄りに形成された空間は、さらに仕切板(18)により左右の空間に仕切られている。この左右の空間のうち、右側の空間は排気側流路(41)を構成し、左側の空間は給気側流路(42)を構成している。
【００３２】
上記排気側流路(41)は、本発明でいう第２空気通路の一部であり、排気口(16)を介して室外に連通している。この排気側流路(41)には、排気ファン(96)、第２熱交換器(103b)、及び圧縮機(101)が設置されている。上記第２熱交換器(103b)は、排気ファン（第２送風手段）(96)へ向かって流れる空気を冷媒回路の冷媒と熱交換させる。また、上記圧縮機(101)は、上記冷媒回路の圧縮行程に用いられている。
【００３３】
一方、給気側流路(42)は、本発明でいう第１空気通路の一部であり、給気口(14)を介して室内に連通している。この給気側流路(42)には、給気ファン（第１送風手段）(95)と第１熱交換器(103a)とが設置されている。第１熱交換器(103a)は、給気ファン(95)へ向かって流れる空気を冷媒回路の冷媒と熱交換させる。
【００３４】
また、ケーシング(10)の内側右面で、上記排気側流路(41)と隣接する位置には、上記圧縮機(101)と給気/排気ファン(95,96)との駆動回路(130)が設けられている。さらに、駆動回路(130)の表面には、この駆動回路(130)の放熱部(171)の冷却効果を高めるための冷却フィン(131)が設けられている。また、この駆動回路(130)及び冷却フィン(131)が設けられたケーシング(10)の逆面には、調湿装置の制御回路などが収装された電装品ボックス(150)が設置されている。
【００３５】
ケーシング(10)の第２パネル(12)寄りに形成された空間は、右側仕切板(20)と、左側仕切板(30)とによって左右に３つの空間に仕切られている。
【００３６】
右側仕切板(20)の右側の空間は、鉛直上下方向に、２つの空間に仕切られている。そして、この空間は、上側の空間が右上部流路(65)を構成し、下側の空間が右下部流路(66)を構成している。右上部流路(65)は、排気側流路(41)と連通している一方、室外側吸引口(15)とは仕切られている。また、右下部流路(66)は、室外側吸引口(15)と連通している一方、排気側流路(41)とは仕切られている。
【００３７】
左側仕切板(30)の左側の空間は、鉛直上下方向に、２つの空間に仕切られている。そして、この空間は、上下の空間が左上部流路(67)を構成し、下側の空間が左下部流路(68)を構成している。左上部流路(67)は、給気側流路(42)と連通している一方、室内側吸引口(13)とは仕切られている。また、左下部流路(68)は、室内側吸引口(13)と連通している一方、給気側流路(42)とは仕切られている。
【００３８】
右側仕切板(20)と左側仕切板(30)の間には、２つの吸着素子(81a,81b)が設置されている。これら吸着素子(81a,81b)は、所定の間隔をおいて前後に並んだ状態に配置されている。具体的には、手前側の第１パネル(11)寄りに第１吸着素子(81a)が設けられ、奥側の第２パネル(12)寄りに第２吸着素子(81b)が設けられている。
【００３９】
第１，第２吸着素子(81a,81b)は、それぞれにおける平板部材(83)及び波板部材(84)の積層方向がケーシング(10)の左右方向と一致する姿勢で設置されている。この姿勢の各吸着素子(81a,81b)では、その上下の側面に調湿側通路(85)が開口し、その前後の側面に冷却側通路(86)が開口する一方、その左右の側面にはいずれの通路(85,86)も開口していない。
【００４０】
右側仕切板(20)と左側仕切板(30)との間の空間は、第１流路(51)、第２流路(52)、第１上部流路(53)、第１下部流路(54)、第２上部流路(55)、第２下部流路(56)、及び中央流路(57)に区画されている。
【００４１】
また、図５に示すように、第１流路(51)は、第１吸着素子(81a)の手前側（図５においては右側）に形成され、第１吸着素子(81a)の冷却側通路(86)に連通している。第２流路(52)は、第２吸着素子(81b)の奥側(図５においては左側)に形成され、第２吸着素子(81b)の冷却側通路(86)に連通している。
【００４２】
第１上部通路(53)は、第１吸着素子(81a)の上側に形成され、第１吸着素子(81a)の調湿側通路(85)に連通している。第１下部流路(54)は、第１吸着素子(81a)の下側に形成され、第１吸着素子(81a)の調湿側通路(85)に連通している。第２上部通路(55)は、第２吸着素子(81b)の上側に形成され、第２吸着素子(81a)の調湿側通路(85)に連通している。第２下部流路(56)は、第２吸着素子(81b)の下側に形成され、第２吸着素子(81b)の調湿側通路(85)に連通している。
【００４３】
中央流路(57)は、第１吸着素子(81a)と第２吸着素子(81b)との間に形成され、両吸着素子(81a,81b)の冷却側通路(86)に連通している。この中央流路(57)には、再生熱交換器(102)がほぼ垂直に立った状態で設置されている。この再生熱交換器(102)は、中央流路(57)を流れる空気を冷媒回路の冷媒と熱交換させる。そして、再生熱交換器(102)は、凝縮器として機能し、空気を加熱するための加熱器を構成している。
【００４４】
中央流路(57)と第１下部流路(54)との間の仕切りには、第１シャッタ(61)が設けられている。一方、中央流路(57)と第２下部流路(56)との間の仕切りには、第２シャッタ(62)が設けられている。第１シャッタ(61)と第２シャッタ(62)とは、何れもが開閉自在に構成されている。
【００４５】
図１に示すように、右側仕切板(20)には、第１右側開口(21)、第２右側開口(22)、第１右上開口(23)、第１右下開口(24)、第２右上開口(25)、及び第２右下開口(26)が形成されている。これらの開口(21,22,…)は、それぞれが開閉シャッタを備えて開閉自在に構成されている。
【００４６】
第１右側開口(21)は、右側仕切板(20)における手前側の下部に設けられている。第１右側開口(21)の開閉シャッタが開いた状態では、第１流路(51)と右下部流路(66)とが互いに連通する。第２右側開口(22)は、右側仕切板(20)における奥側の下部に設けられている。第２右側開口(22)の開閉シャッタが開いた状態では、第２流路(52)と右下部流路(66)とが互いに連通する。
【００４７】
第１右上開口(23)は、右側仕切板(20)のうち第１吸着素子(81a)に隣接する部分の上部に設けられている。第１右上開口(23)の開閉シャッタが開いた状態では、第１上部流路(53)と右上部流路(65)とが互いに連通する。第１右下開口(24)は、右側仕切板(20)のうち第１吸着素子(81a)に隣接する部分の下部に設けられている。第１右下開口(24)の開閉シャッタが開いた状態では、第１下部流路(54)と右下部流路(66)とが互いに連通する。
【００４８】
第２右上開口(25)は、右側仕切板(20)のうち第２吸着素子(81b)に隣接する部分の上部に設けられている。第２右上開口(25)の開閉シャッタが開いた状態では、第２上部流路(55)と右上部流路(65)とが互いに連通する。第２右下開口(26)は、右側仕切板(20)のうち第２吸着素子(81b)に隣接する部分の下部に設けられている。第２右下開口(26)の開閉シャッタが開いた状態では、第２下部流路(56)と右下部流路(66)とが互いに連通する。
【００４９】
左側仕切板(30)には、第１左側開口(31)、第２左側開口(32)、第１左上開口(33)、第１左下開口(34)、第２左上開口(35)、及び第２左下開口(36)が形成されている。これらの開口(31,32,…)は、それぞれが開閉シャッタを備えて開閉自在に構成されている。
【００５０】
第１左側開口(31)は、左側仕切板(30)における手前側の下部に設けられている。第１左上開口(31)の開閉シャッタが開いた状態では、第１流路(51)と左下部流路(68)とが互いに連通する。第２左側開口(32)は、左側仕切板(30)における奥側の下部に設けられている。第２左側開口(32)の開閉シャッタが開いた状態では、第２流路(52)と左下部流路(68)とが互いに連通する。
【００５１】
第１左上開口(33)は、左側仕切板(30)のうち第１吸着素子(81a)に隣接する部分の上部に設けられている。第１左上開口(33)の開閉シャッタが開いた状態では、第１上部流路(53)と左上部流路(67)とが互いに連通する。第１左下開口(34)は、左側仕切板(30)のうち第１吸着素子(81a)に隣接する部分の下部に設けられている。第１左下開口(34)の開閉シャッタが開いた状態では、第１下部流路(54)と左下部流路(68)とが互いに連通する。
【００５２】
第２左上開口(35)は、左側仕切板(30)のうち第２吸着素子(81b)に隣接する部分の上部に設けられている。第２左上開口(35)の開閉シャッタが開いた状態では、第２上部流路(55)と左上部流路(67)とが互いに連通する。第２左下開口(36)は、左側仕切板(30)のうち第２吸着素子(81b)に隣接する部分の下部に設けられている。第２左下開口(36)の開閉シャッタが開いた状態では、第２下部流路(56)と左下部流路(68)とが互いに連通する。
【００５３】
次に、前述した駆動回路(130)近傍の構成について、図８を参照しながら詳細に説明する。
【００５４】
ケーシング(10)の内側右面で、排気側流路(41)と隣接する位置に設けられた駆動回路(130)は、より具体的に、圧縮機(101)の制御回路である第１インバータ(130a)と、給気/排気ファン(95,96)の制御回路である第２インバータ(130b)とを有している。これら第１，第２インバータ(130a,130b)は、プリント基板(132)に水平方向に並設して固定されている。このプリント基板(132)は、複数個のスペーサ(133)と、プリント基板(132)の下部に設けられた支持板(134)によって取り付けられている。
【００５５】
また、第１，第２インバータ(130a,130b)の放熱部(171)表面には、上記第１インバータ(130a)と第２インバータ(130b)との双方に跨るように冷却フィン(131)が設けられている。上記冷却フィン(131)は、板状のフィン基板(131a)と、このフィン基板(131a)より垂直方向に複数枚設けられた冷却板(131b)とで構成されている。上記フィン基板(131a)は、第１，第２インバータ(130a,130b)の放熱部(171)表面に設置されている。また、フィン基板(131a)に設けられた冷却板(131b)は、第１，第２インバータ(130a,130b)の放熱部(171)より左側方向に延びて、排気側流路(41)内に突出した状態にある。
【００５６】
また、上記第１，第２インバータ(130a,130b)とフィン基板(131a)との間には、冷却フィン(131)の取り付け及び第１，２インバータ(130a,130b)のシーリングを目的としたシール用部材(135)が設けられている。
【００５７】
さらに、ケーシング(10)の外側に設置された電装品ボックス(150)は、直方体状の電装品ケーシング(151)を有しており、この電装品ケーシング(151)内に、上記開閉シャッタや給気/排気ファン(95,96)などの制御回路が収装されている。
【００５８】
−運転動作−
上記調湿装置の運転動作について説明する。この調湿装置は、除湿運転と加湿運転とを切り換えて行う。また、この調湿装置は、後述するように第１動作と第２動作とを交互に繰り返すことによって、除湿運転や加湿運転を行う。
【００５９】
なお、除湿運転時において、冷媒回路では、第１熱交換器(103a)が蒸発器となる一方、第２熱交換器(103b)が休止している。一方、加湿運転時において、冷媒回路では、第２熱交換器(103b)が蒸発器となる一方、第１熱交換器(103a)が休止している。
【００６０】
また、図１〜４に示すように、上記調湿装置の除湿運転や加湿運転時において、給気ファン(95)を駆動すると、室外空気(OA)が室外側吸引口(15)を通じてケーシング(10)内に取り込まれる。この室外空気は第１空気として、所定の空気通路を流通した後に、給気口(14)より室内へ供給される。ここで、上記室外側吸引口(15)から上記給気口(14)までの第１空気の流通経路が第１空気通路となる。一方、排気ファン(96)を駆動すると、室内空気(RA)が室内側吸引口(13)を通じてケーシング(10)内に取り込まれる。この室内空気は第２空気として、所定の空気通路を流通した後に、排気口(16)より室外へ排出される。ここで、上記室内側吸引口(13)から上記排気口(16)までの第２空気の流通経路が第２空気通路となる。
【００６１】
≪除湿運転≫
次に、除湿運転時の第１動作について、図１，図５(Ａ)を参照しながら説明する。この第１動作では、第１吸着素子(81a)についての吸着動作と、第２吸着素子(81b)についての再生動作とが行われる。つまり、第１動作では、第１吸着素子(81a)で空気が減湿されると同時に、第２吸着素子(81b)の吸着材が再生される。
【００６２】
図１に示すように、右側仕切板(20)では、第１右下開口(24)と第２右上開口(25)の開閉シャッタが開口状態であり、残りの開口(21,22,23,26)の開閉シャッタは閉鎖状態となっている。この状態では、第１右下開口(24)によって右下部流路(66)と第１下部流路(54)とが連通し、第２右上開口(25)によって第２上部流路(55)と右上部流路(65)とが連通している。
【００６３】
左側仕切板(30)では、第１左側開口(31)と第１左上開口(33)の開閉シャッタが開口状態であり、残りの開口(32,34,35,36)の開閉シャッタが閉鎖状態となっている。この状態では、第１左側開口(31)によって第１流路(51)と左下部流路(68)とが連通し、第１左上開口(33)によって第１上部流路(53)と左上部流路(67)とが連通している。
【００６４】
また、図５(Ａ)に示すように、第１シャッタ(61)は閉鎖状態となり、第２シャッタ(62)は開口状態となっており、この状態で中央流路(57)と第２下部流路(56)とが連通される。
【００６５】
給気ファン(95)の駆動により、右下部流路(66)に流入した第１空気は、その後に第１右下開口(24)を通って、第１下部流路(54)へ流入する。一方、排気ファン(96)の駆動により、左下部流路(68)へ流入した第２空気は、その後に第１左側開口(31)を通って、第１流路(51)へ流入する。
【００６６】
第１下部流路(54)の第１空気は、第１吸着素子(81a)の調湿側通路(85)へ流入する。この調湿側通路(85)を流れる間に、第１空気に含まれる水蒸気が吸着材に吸着される。第１吸着素子(81a)で減湿された第１空気は、第１上部流路(53)へ流入する。
【００６７】
一方、第１流路(51)の第２空気は、第１吸着素子(81a)の冷却側通路(86)へ流入する。この冷却側通路(86)を流れる間に、第２空気は、調湿側通路(85)で水蒸気が吸着材に吸着された際に生じた吸着熱を吸熱する。吸着熱を奪った第２空気は、中央通路(57)へ流入して再生熱交換器(102)を通過する。その際、再生熱交換器(102)では、第２空気が冷媒との熱交換によって加熱される。その後、第２空気は、中央流路(57)から第２下部流路(56)へ流入する。
【００６８】
第１吸着素子(81a)及び再生熱交換器(102)で加熱された第２空気は、第２吸着素子(81b)の調湿側通路(85)へ導入される。この調湿側通路(85)では、第２空気によって吸着材が加熱され、吸着材から水蒸気が脱離する。つまり、第２吸着素子(81b)の再生が行われる。この際、第２空気は、吸着材の再生により吸熱される。吸着材を再生した後の第２空気は、第２上部流路(55)へ流入する。
【００６９】
図１に示すように、第１上部流路(53)へ流入した減湿後の第１空気は、第１左上開口(33)を通って左上部流路(67)へ流入し、その後に給気側流路(42)へ流入する。この第１空気は、給気側流路(42)を流れる間に第１熱交換器(103a)を通過し、冷媒との熱交換によって冷却される。その後、減湿及び冷却された第１空気は、給気口(14)を通って室内へ供給される。
【００７０】
一方、第２上部流路(55)へ流入した第２空気は、第２右上開口(25)を通って、右上部流路(65)へ流入し、その後に排気側流路(41)へ流入する。この際、排気側流路(41)内に設けられた第１，第２インバータ(130a,130b)の放熱部(171)及び冷却フィン(131)は、この第２空気によって冷却される。その後、この第２空気は、排気側流路(41)を流れる間に第２熱交換器(103b)を通過する。その際、第２熱交換器(103b)は休止しており、第２空気は加熱も冷却もされない。そして、第１吸着素子(81a)の冷却と第２吸着素子(81b)の再生と、駆動回路(130)の冷却に利用された第２空気は、排気口(16)を通って室外へ排出される。
【００７１】
次に除湿運転の第２動作について、図２，図５(Ｂ)を参照しながら説明する。この第２動作では、第１動作時とは逆に、第２吸着素子(81b)についての吸着動作と第１吸着素子(81a)についての再生動作とが行われる。つまり、第２動作では、第２吸着素子(81b)で空気が減湿されると同時に、第１吸着素子(81a)の吸着材が再生される。
【００７２】
図２に示すように、右側仕切板(20)では、第１右上開口(23)と第２右下開口(26)の開閉シャッタが開口状態であり、残りの開口(21,22,24,25)の開閉シャッタは閉鎖状態となっている。この状態では、第１右上開口(23)によって第１上部流路(53)と右上部流路(65)とが連通し、第２右下開口(26)によって右下部流路(66)と第２下部流路(56)とが連通している。
【００７３】
左側仕切板(30)では、第２左側開口(32)と第２左上開口(35)の開閉シャッタが開口状態であり、残りの開口(31,33,34,36)の開閉シャッタが閉鎖状態となっている。この状態では、第２左側開口(32)によって左下部流路(68)と第２流路(52)とが連通し、第２左上開口(35)によって第２上部流路(55)と左上部流路(67)とが連通している。
【００７４】
また、図５(Ｂ)に示すように、第２シャッタ(62)は閉鎖状態となり、第１シャッタ(61)は開口状態となっており、この状態で中央流路(57)と第１下部流路(54)とが連通している。
【００７５】
給気ファン(95)の駆動により、右下部流路(66)に流入した第１空気は、その後に第２右下開口(26)を通って、第２下部流路(56)へ流入する。一方、排気ファン(96)の駆動により、左下部流路(68)へ流入した第２空気は、その後に第２左側開口(32)を通って、第２流路(52)へ流入する。
【００７６】
第２下部流路(56)の第１空気は、第２吸着素子(81b)の調湿側通路(85)へ流入する。この調湿側通路(85)を流れる間に、第１空気に含まれる水蒸気が吸着材に吸着される。第２吸着素子(81b)で減湿された第１空気は、第２上部流路(55)へ流入する。
【００７７】
一方、第２流路(52)の第２空気は、第２吸着素子(81b)の冷却側通路(86)へ流入する。この冷却側通路(86)を流れる間に、第２空気は、調湿側通路(85)で水蒸気が吸着材に吸着された際に生じた吸着熱を吸熱する。吸着熱を奪った第２空気は、中央通路(57)へ流入して再生熱交換器(102)を通過する。その際、再生熱交換器(102)では、第２空気が冷媒との熱交換によって加熱される。その後、第２空気は、中央流路(57)から第１下部流路(54)へ流入する。
【００７８】
第２吸着素子(81b)及び再生熱交換器(102)で加熱された第２空気は、第１吸着素子(81a)の調湿側通路(85)へ導入される。この調湿側通路(85)では、第２空気によって吸着材が加熱され、吸着材から水蒸気が脱離する。つまり、第１吸着素子(81a)の再生が行われる。この際、第２空気は、吸着材の再生により吸熱される。吸着材を再生した後の第２空気は、第２上部流路(55)へ流入する。  図２に示すように、第２上部流路(55)へ流入した減湿後の第１空気は、第２左上開口(35)を通って左上部流路(67)へ流入し、その後に給気側流路(42)へ流入する。この第１空気は、給気側流路(42)を流れる間に第１熱交換器(103a)を通過し、冷媒との熱交換によって冷却される。その後、減湿及び冷却された第１空気は、給気口(14)を通って室内へ供給される。
【００７９】
上記第１上部流路(53)へ流入した第２空気は、第１右上開口(23)を通って、右上部流路(65)へ流入し、その後に排気側流路(41)へ流入する。この際、排気側流路(41)内に設けられた第１，第２インバータ(130a,130b)の放熱部(171)及び冷却フィン(131)は、この第２空気によって冷却される。その後、この第２空気は、排気側流路(41)を流れる間に第２熱交換器(103b)を通過する。その際、第２熱交換器(103b)は休止しており、第２空気は加熱も冷却もされない。そして、第２吸着素子(81b)の冷却と第１吸着素子(81a)の再生と駆動回路(130)の冷却とに利用された第２空気は、排気口(16)を通って室外へ排出される。
に利用された第２空気は、排気口(16)を通って室外へ排出される。
【００８０】
≪加湿運転≫
次に、加湿運転時の第１動作について、図３，図６(Ａ)を参照しながら説明する。この第１動作では、第１吸着素子(81a)についての吸着動作と、第２吸着素子(81b)についての再生動作とが行われる。つまり、第１動作では、第２吸着素子(81b)で空気が加湿され、第１吸着素子(81a)の吸着材が水蒸気を吸着する。
【００８１】
図３に示すように、右側仕切板(20)では、第１右側開口(21)と第１右上開口(23)の開閉シャッタが開口状態であり、残りの開口(22,24,25,26)の開閉シャッタは閉鎖状態となっている。この状態では、第１右側開口(21)によって右下部流路(66)と第１流路(51)とが連通し、第１右上開口(23)によって第１上部流路(53)と右上部流路(65)とが連通している。
【００８２】
左側仕切板(30)では、第１左下開口(34)と第２左上開口(35)の開閉シャッタが開口状態であり、残りの開口(31,32,33,36)の開閉シャッタが閉鎖状態となっている。この状態では、第１左下開口(34)によって左下部流路(68)と第１下部流路(54)とが連通し、第２左上開口(35)によって第２上部流路(55)と左上部流路(67)とが連通している。
【００８３】
また、図６(Ａ)に示すように、第１シャッタ(61)は閉鎖状態となり、第２シャッタ(62)は開口状態となっており、この状態で中央流路(57)と第２下部流路(56)とが連通している。
【００８４】
給気ファン(95)の駆動により、右下部流路(66)へ流入した第１空気は、その後に第１右側開口(21)を通って、第１流路(51)へ流入する。一方、排気ファン(96)の駆動により、左下部流路(68)に流入した第２空気は、その後に第１左下開口(34)を通って、第１下部流路(54)へ流入する。 第１下部流路(54)の第２空気は、第１吸着素子(81a)の調湿側通路(85)へ流入する。この調湿側通路(85)を流れる間に、第２空気に含まれる水蒸気が吸着材に吸着される。第１吸着素子(81a)で水分を奪われた第２空気は、第１上部流路(53)へ流入する。
【００８５】
一方、第１流路(51)の第１空気は、第１吸着素子(81a)の冷却側通路(86)へ流入する。この冷却側通路(86)を流れる間に、第１空気は、調湿側通路(85)で水蒸気が吸着材に吸着された際に生じた吸着熱を吸熱する。吸着熱を奪った第１空気は、中央通路(57)へ流入して再生熱交換器(102)を通過する。その際、再生熱交換器(102)では、第１空気が冷媒との熱交換によって加熱される。その後、第１空気は、中央流路(57)から第２下部流路(56)へ流入する。
【００８６】
第１吸着素子(81a)及び再生熱交換器(102)で加熱された第１空気は、第２吸着素子(81b)の調湿側通路(85)へ導入される。この調湿側通路(85)では、第１空気によって吸着材が加熱され、吸着材から水蒸気が脱離する。つまり、第２吸着素子(81b)の再生が行われる。吸着材から脱離した水蒸気が第１空気に付与され、第１空気が加湿される。第２吸着素子(81b)で加湿された第１空気は、その後に第２上部流路(55)へ流入する。
【００８７】
図３に示すように、第２上部流路(55)へ流入した第１空気は、第２左上開口(35)を通って左上部流路(67)へ流入し、その後に給気側流路(42)へ流入する。この第１空気は、給気側流路(42)を流れる間に第１熱交換器(103a)を通過する。その際、第１熱交換器(103a)は休止しており、第１空気は加熱も冷却もされない。そして、加湿された第１空気は、給気口(14)を通って室内へ供給される。
【００８８】
一方、第１上部流路(53)へ流入した第２空気は、第１右上開口(23)を通って、右上部流路(65)へ流入し、その後に排気側流路(41)へ流入する。この際、排気側流路(41)内に設けられた第１，第２インバータ(130a,130b)の放熱部(171)及び冷却フィン(131)は、この第２空気によって冷却される。その後、この第２空気は、排気側流路(41)を流れる間に第２熱交換器(103b)を通過し、冷媒との熱交換によって冷却される。そして、水分と熱を奪われた第２空気は、排気口(16)を通って室外へ排出される。
【００８９】
次に加湿運転の第２動作について、図４，図６(Ｂ)を参照しながら説明する。この第２動作では、第１動作時とは逆に、第２吸着素子(81b)についての吸着動作と第１吸着素子(81a)についての再生動作とが行われる。つまり、第２動作では、第１吸着素子(81a)で空気が加湿され、第２吸着素子(81b)の吸着材が水蒸気を吸着する。
【００９０】
図４に示すように、右側仕切板(20)では、第２右側開口(22)と第２右上開口(25)の開閉シャッタが開口状態であり、残りの開口(21,23,24,26)の開閉シャッタは閉鎖状態となっている。この状態では、第２右側開口(22)によって右下部流路(66)と第２流路(52)とが連通され、第２右上開口(25)によって第２上部流路(55)右上部流路(65)とが連通される。
【００９１】
左側仕切板(30)では、第１左上開口(33)と第２左下開口(36)の開閉シャッタが開口状態であり、残りの開口(31,32,34,35)の開閉シャッタが閉鎖状態となっている。この状態では、第１左上開口(33)によって第１上部流路(53)と左上部流路(67)とが連通し、第２左下開口(36)によって左下部流路(68)と第２下部流路(56)とが連通している。
【００９２】
また、図６(Ｂ)に示すように、第２シャッタ(62)は閉鎖状態となり、第１シャッタ(61)は開口状態となっており、この状態で中央流路(57)と第１下部流路(54)とが連通している。
【００９３】
給気ファン(95)の駆動により、右下部流路(66)へ流入した第１空気は、その後に第２右側開口(22)を通って、第２流路(52)へ流入する。一方、排気ファン(96)の駆動により、左下部流路(68)に流入した第２空気は、その後に第２左下開口(36)を通って、第２下部流路(56)へ流入する。第２下部流路(56)の第２空気は、第２吸着素子(81b)の調湿側通路(85)へ流入する。この調湿側通路(85)を流れる間に、第２空気に含まれる水蒸気が吸着材に吸着される。第２吸着素子(81b)で水分を奪われた第２空気は、第２上部流路(55)へ流入する。
【００９４】
一方、第２流路(52)の第１空気は、第２吸着素子(81b)の冷却側通路(86)へ流入する。この冷却側通路(86)を流れる間に、第１空気は、調湿側通路(85)で水蒸気が吸着材に吸着された際に生じた吸着熱を吸熱する。吸着熱を奪った第１空気は、中央通路(57)へ流入して再生熱交換器(102)を通過する。その際、再生熱交換器(102)では、第２空気が冷媒との熱交換によって加熱される。その後、第２空気は、中央流路(57)から第１下部流路(54)へ流入する。
【００９５】
第２吸着素子(81b)及び再生熱交換器(102)で加熱された第１空気は、第１吸着素子(81a)の調湿側通路(85)へ導入される。この調湿側通路(85)では、第１空気によって吸着材が加熱され、吸着材から水蒸気が脱離する。つまり、第１吸着素子(81a)の再生が行われる。そして、吸着材から脱離した水蒸気が第１空気に付与され、第１空気が加湿される。第１吸着素子(81a)で加湿された第１空気は、その後に第１上部流路(53)へ流入する。
【００９６】
図４に示すように、第１上部流路(53)へ流入した第１空気は、第１左上開口(33)を通って左上部流路(67)へ流入し、その後に給気側流路(42)へ流入する。この第１空気は、給気側流路(42)を流れる間に第１熱交換器(103a)を通過する。その際、第１熱交換器(103a)は休止しており、第１空気は加熱も冷却もされない。そして、加湿された第１空気は、給気口(14)を通って室内へ供給される。
【００９７】
一方、第２上部流路(55)へ流入した第２空気は、第２右上開口(25)を通って、右上部流路(65)へ流入し、その後に排気側流路(41)へ流入する。この際、排気側流路(41)内に設けられた第１，第２インバータ(130a,130b)の放熱部(171)及び冷却フィン(131)は、この第２空気によって冷却される。その後、この第２空気は、排気側流路(41)を流れる間に第２熱交換器(103b)を通過し、冷媒との熱交換によって冷却される。そして、水分と熱を奪われた第２空気は、排気口(16)を通って室外へ排出される。
【００９８】
−実施形態１の効果−
本実施形態１によれば、以下のような効果が発揮される。
【００９９】
本実施形態１では、圧縮機(101)の駆動回路(130)の一部である第１インバータ(130a)と、給気/排気ファン(95,96)の駆動回路(130)の一部である第２インバータ(130b)の放熱部(171)を排気側流路(41)内に配置している。そして、この第１，第２インバータ(130a,130b)の放熱部(171)を、排気側流路(41)を流通する第２空気により冷却している。
【０１００】
この際、排気側流路(41)を流通する第２空気の流速を所定値以上にしておけば、第１，第２インバータ(130a,130b)の放熱部(171)を十分冷却することができ、第１，第２インバータ(130a,130b)の発熱を効果的に抑制することができる。
【０１０１】
また、この第２空気は、夏期などの除湿運転時において、第１吸着素子(81a)又は第２吸着素子(81b)の吸着材を再生した後の空気となる。したがって、第２空気は、吸着材の再生により吸熱され、第１，第２インバータ(130a,130b)の放熱部(171)と比較して、温度が低い状態となっている。このため、第１，第２インバータ(130a,130b)の放熱部(171)の冷却効果を高めることができる。
【０１０２】
さらに、第２空気は、冬期などの加湿運転時において、第１吸着素子(81a)又は第２吸着素子(81b)の吸着材により、水分が吸着された後の空気となる。したがって、第２空気は、減湿されて湿度が低い状態となっている。このため、第１，第２インバータ(130a,130b)の放熱部(171)を第２空気で冷却する場合、結露によりインバータ(130)近傍が湿潤状態となることを防止できる。
【０１０３】
また、本実施形態１では、第１，第２インバータ(130a,130b)の放熱部(171)に、冷却フィン(131)を設けている。このため、圧縮機(101)や給気/排気ファン(95,96)の稼働時に、第１，第２インバータ(130a,130b)で熱が生じた際には、この熱が冷却フィン(131)に伝導する。このため、放熱部(171)と第２空気との接触面積（伝熱面積）は大きくなるから、第１，第２インバータ(130a,130b)より発生した熱を、より効果的に冷却することができる。
【０１０４】
【発明のその他の実施の形態】
本発明は、上記実施形態について、以下のような構成としてもよい。
【０１０５】
実施形態１では、第１，第２インバータ(130a,130b)と冷却フィン(131)とをケーシング(10)内の排気側流路(41)に設け、上記第１，第２インバータ(130a,130b)の放熱部(171)と冷却フィン(131)とを第１吸着素子(81a)又は第２吸着素子(81b)を通過した後の第２空気で冷却するように構成している。しかしながら、例えば、第１，第２インバータ(130a,130b)と冷却フィン(131)を第１空気通路又は第２空気通路内に、様々な配置パターンで構成することができる。
【０１０６】
この第１，第２インバータ(130a,130b)及び冷却フィン(131)の配置パターンについて、図に基づいて詳細に説明する。
【０１０７】
≪その他の配置パターン１≫
図９(Ａ)は、第１，第２インバータ(130a,130b)及び冷却フィン(131)をケーシング(10)内の給気側流路(42)の第１熱交換器(103a)右側に設け、上記第１，第２インバータ(130a,130b)の放熱部(171)と冷却フィン(131)とを第１熱交換器(103a)を通過した後の第１空気で冷却するように構成したものである。この場合、除湿運転時において、給気側流路(42)を流通する第１空気は、第１熱交換器(103a)により冷却されて、温度が低い状態となっている。このため、第１，第２インバータ(130a,130b)の放熱部(171)と冷却フィン(131)との冷却効果を高めることができる。
【０１０８】
≪その他の配置パターン２≫
図９(Ｂ)は、第１，第２インバータ(130a,130b)及び冷却フィン(131)とをケーシング(10)内の排気側流路(41)の第２熱交換器(103b)左側に設け、上記第１，第２インバータ(130a,130b)の放熱部(171)と冷却フィン(131)とを第２熱交換器(103b)を通過した後の第２空気で冷却するように構成したものである。この場合、加湿運転時において、排気側流路(42)を流通する第２空気は、第２熱交換器(103b)により冷却されて、温度が低い状態となっている。このため、第１，第２インバータ(130a,130b)の放熱部(171)と冷却フィン(131)との冷却効果を高めることができる。
【０１０９】
≪その他の配置パターン３≫
図１０(Ａ)は、第１，第２インバータ(130a,130b)及び冷却フィン(131)を左下部流路(68)の奥側に設け、上記第１，第２インバータ(130a,130b)の放熱部(171)と冷却フィン(131)とを第１吸着素子(81a)又は第２吸着素子(81b)を通過する前の第１空気で冷却するように構成したものである。この場合、左下部流路(68)を流通する第１空気は、調湿されていない室内空気となる。したがって、第１空気は、第１，第２インバータ(130a,130b)の放熱部(171)と比較して、低い温度となっている。このため、第１，第２インバータ(130a,130b)の放熱部(171)と冷却フィン(131)とを十分に冷却することができる。
【０１１０】
≪その他の配置パターン４≫
図１０(Ｂ)は、第１，第２インバータ(130a,130b)及び冷却フィン(131)とを右下部流路(66)の奥側に設け、上記第１，第２インバータ(130a,130b)の放熱部(171)と冷却フィン(131)とを第１吸着素子(81a)又は第２吸着素子(81b)を通過する前の第２空気で冷却するように構成したものである。この場合、右下部流路(66)を流通する第２空気は、調湿されていない室外空気となる。したがって、第２空気は、第１，第２インバータ(130a,130b)の放熱部(171)と比較して、低い温度となっている。このため、第１，第２インバータ(130a,130b)の放熱部(171)と冷却フィン(131)とを十分に冷却することができる。
【０１１１】
また、例えば、室外側吸引口(15)に室外空気を導入するための比較的長いダクトが設けられている場合、第２空気はダクト内を流通する際に放熱される。したがって、第２空気は、第１，第２インバータ(130a,130b)の放熱部(171)と比較して、さらに低い温度となっている。このため、第１，第２インバータ(130a,130b)の放熱部(171)と冷却フィン(131)とをより効果的に冷却することができる。
【０１１２】
実施形態１及び上述したその他の実施形態における第１，第２インバータ(130a,130b)と冷却フィン(131)とは、ケーシング(10)の内側の側面に取り付て配置されているが、上記第１，第２インバータ(130a,130b)と冷却フィン(131)とをケーシング(10)の内側上面に取り付けて配置することもできる。この場合、第１，第２インバータ(130a,130b)の放熱部(171)及び冷却フィン(131)は、図１１に示すように、ケーシング(10)の内側上面より下方向に向かって延び、所定の空気通路内に配置される。
【０１１３】
【発明の効果】
請求項１に記載の発明によれば、駆動回路(130)の放熱部(171)を、吸着素子(81)によって調湿された後の第２空気が流通する第２空気通路に配置し、この第２空気により冷却するように構成している。
【０１１４】
この構成において、吸着素子(81)を第２空気の減湿に利用する場合、第２空気は湿度が低い状態となる。したがって、駆動回路(130)の放熱部(171)を第２空気で冷却する際に、水分の結露を防ぎ、駆動回路(130)近傍が湿潤状態になることを防ぐことができる。
【０１１５】
また、吸着素子(81)を第２空気の加湿に利用する場合、吸着素子(81)から第２空気への水分の脱着により、第２空気の熱は吸熱される。したがって、第２空気は、駆動回路(130)の放熱部(171)と比較して、温度が低い状態となる。このため、駆動回路(130)の放熱部(171)をより効果的に冷却することができる。
【０１１６】
請求項２に記載の発明によれば、駆動回路(130)の放熱部(171)を、吸着素子(81)で減湿され、さらに熱交換器(103)により冷却された後の第１空気で冷却するように構成している。この構成において、第１空気は、温度がより低い状態となっているため、駆動回路(130)の放熱部(171)を十分に冷却することができる。
【０１１７】
請求項３に記載の発明によれば、上記駆動回路(130)の放熱部(171)を、吸着素子(81)で減湿され、さらに熱交換器(103)により冷却された後の第２空気で冷却するように構成している。この構成において、第２空気は、温度がより低い状態となっているため、駆動回路(130)の放熱部(171)を十分に冷却することができる。
【０１１８】
請求項４に記載の発明では、上記駆動回路(130)の放熱部(171)を、上記吸着素子(81)により調湿される前の第１空気で冷却するように構成している。上記第１空気は、駆動回路(130)の放熱部(171)と比較して、低い温度で安定している。このため、上記駆動回路(130)の放熱部(171)を確実に冷却することができる。
【０１１９】
請求項５に記載の発明によれば、上記駆動回路(130)の放熱部(171)を、上記吸着素子(81)により調湿される前の第２空気で冷却するように構成している。上記第２空気は、駆動回路(130)の放熱部(171)と比較して、低い温度で安定している。このため、上記駆動回路(130)の放熱部(171)を確実に冷却することができる。
【図面の簡単な説明】
【図１】  実施形態１に係る調湿装置の構成及び除湿運転時の第１動作における空気の流れを示す概略構成図であり、図１(Ａ)、図１(Ｂ)、図１(Ｃ)は、それぞれ、調湿装置の上面図、左側面図、右側面図を示すものである。
【図２】  実施形態１に係る調湿装置の構成及び除湿運転時の第２動作における空気の流れを示す概略構成図であり、図２(Ａ)、図２(Ｂ)、図２(Ｃ)は、それぞれ、調湿装置の上面図、左側面図、右側面図を示すものである。
【図３】  実施形態１に係る調湿装置の構成及び加湿運転時の第１動作における空気の流れを示す概略構成図であり、図３(Ａ)、図３(Ｂ)、図３(Ｃ)は、それぞれ、調湿装置の上面図、左側面図、右側面図を示すものである。
【図４】  実施形態１に係る調湿装置の構成及び加湿運転時の第２動作における空気の流れを示す概略構成図であり、図４(Ａ)、図４(Ｂ)、図４(Ｃ)は、それぞれ、調湿装置の上面図、左側面図、右側面図を示すものである。
【図５】  実施形態１に係る調湿装置の除湿運転時の要部拡大図である。
【図６】  実施形態１に係る調湿装置の除湿運転時の要部拡大図である。
【図７】  実施形態１に係る調湿装置の吸着素子の構成を示す概略斜視図である。
【図８】  実施形態１に係る調湿装置の駆動回路近傍の要部拡大斜視図である。
【図９】  図９(Ａ)、(Ｂ)は、それぞれ、駆動回路と冷却フィンとのその他の配置パターン１、その他の配置パターン２を示す上面図である。
【図１０】  図１０(Ａ)、(Ｂ)は、それぞれ、駆動回路と冷却フィンとのその他の配置パターン３、その他の配置パターン４を示す上面図である。
【図１１】    駆動回路と冷却フィンとのその他の設置例を示す上面図である。
【符号の説明】
(10)   ケーシング
(41)   排気側流路
(42)   給気側流路
(81)   吸着素子
(95)   給気ファン
(96)   排気ファン
(103)  熱交換器
(130)  駆動回路
(130a) 第１インバータ
(130b) 第２インバータ
(131)  冷却フィン
【図１】
0003873936.tif 000002
【図２】
0003873936.tif 000003
【図３】
0003873936.tif 000004
【図４】
0003873936.tif 000005
【図５】
0003873936.tif 000006
【図６】
0003873936.tif 000007
【図７】
0003873936.tif 000008
【図８】
0003873936.tif 000009
【図９】
0003873936.tif 000010
【図１０】
0003873936.tif 000011
【図１１】
0003873936.tif 000012